(57)【要約】  本明細書では、ワイヤレス通信ネットワーク内で衝突を低減するためのシステム、方法、およびデバイスが記載されている。一態様では、ワイヤレス通信のための装置が提供される。装置は、第１のメッセージが送信されると予期されていない時間期間の間、選択的に少なくとも一部は電力が切断されるように構成された複数のノードに、通信媒体を介して第１のメッセージを送信するように構成された送信機を含む。第１のメッセージは、そこへの送信にデータが利用可能な複数のノードのサブセットを示す。装置は、第１のメッセージが送信された後、複数のノードのサブセットに利用可能なデータを送信するためのプロセスを開始するように構成されたコントローラをさらに含む。
2015512204.tif 000002
【特許請求の範囲】
【請求項１】
通信媒体を介して複数のノードに第１のメッセージを送信するように構成された送信機、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するように構成されたコントローラと、
を備える、ワイヤレス通信のための装置。
【請求項２】
前記複数のノートが、前記第１のメッセージが送信されると予期されていない時間期間のあいだに、選択的に少なくとも一部は電力が切断されるように構成された、請求項１に記載の装置。
【請求項３】
前記データが、前記複数のノードの前記サブセットの１つもしくは複数のノード向けのマルチキャストデータ、および前記複数のノードの前記サブセットの個別のノードへの配信用のユニキャストのうちの１つである、請求項１に記載の装置。
【請求項４】
前記第１のメッセージが、前記複数のノードの前記サブセットへの送信のために前記通信媒体が確保された第１の時間期間を示す情報を含むように構成された、請求項１に記載の装置。
【請求項５】
前記複数のノードの前記サブセットに含まれないノードが、前記第１の時間期間のあいだに少なくとも一部は電力が切断されるように構成された、請求項４に記載の装置。
【請求項６】
前記複数のノードの前記サブセットに含まれない前記ノードが、前記第１の時間期間のあいだにネットワーク割り当てベクトル（ＮＡＶ）を設定するように構成された、請求項５に記載の装置。
【請求項７】
前記プロセスが、
前記第１の時間期間内で前記複数のノードの前記サブセットの各ノードのための第２の時間期間を確保することと、
前記複数のノードの前記サブセットの各々に関する各第２の時間期間内に第１の制御メッセージを送信することと
を備える、請求項４に記載の装置。
【請求項８】
対応する第２の時間期間のあいだに前記複数のノードの前記サブセットのノードから第２の制御メッセージが受信された場合、前記プロセスが、そのノードのための前記対応する第２の時間期間内に前記ノードにノードデータを送信することをさらに備える、請求項７に記載の装置。
【請求項９】
対応する第２の時間期間内に送信された前記第１の制御メッセージが、前記サブセットの別のノードにデータが送信されるようにスケジュールされたことを示す場合、各ノードが、前記対応する第２の時間期間内の第３の時間期間のあいだに選択的に少なくとも一部は電力が切断されるように構成された、請求項７に記載の装置。
【請求項１０】
前記プロセスが、前記複数のノードの前記サブセットの少なくとも１つのノードから第３の制御メッセージを受信するための前記第１の時間期間の後、第２の時間期間を確保することをさらに備え、前記第３の制御メッセージが、前記少なくとも１つのノードに送られるべきデータを要求する、請求項４に記載の装置。
【請求項１１】
前記第３の制御メッセージが電力節約ポーリング（ＰＳ−ＰＯＬＬ）メッセージを備える、請求項１０に記載の装置。
【請求項１２】
前記プロセスが、
前記サブセットの第１のノードに第１の制御メッセージを送ることと、
前記第１の制御メッセージが前記第１のノードに送られた後、第１の持続時間内に前記第１のノードから第２の制御メッセージが受信された場合、前記第１のノードに前記第１のノードのためのデータを送信することと、
前記第１の持続時間内に第２の制御メッセージが受信されなかった場合、前記サブセットの第２のノードに前記第１の制御メッセージを送信することと
を備える、請求項４に記載の装置。
【請求項１３】
前記第１の持続時間が分散フレーム間スペース（ＤＩＦＳ）に対応する、請求項１２に記載の装置。
【請求項１４】
前記プロセスが、前記第１の時間期間のあいだに前記サブセットのノードの各々にデータを送信することを備える、請求項４に記載の装置。
【請求項１５】
前記プロセスが、前記サブセットのノードの各々にデータを送信する前に、前記サブセットのノードに第１の制御メッセージを送信することをさらに備え、前記第１の制御メッセージが、第２の時間期間のあいだにそこにデータが送信される前記サブセットのノードを示す、請求項１４に記載の装置。
【請求項１６】
前記サブセットの第２のノードが、前記第２の時間期間のあいだに選択的に少なくとも一部は電力が切断されるように構成された、請求項１５に記載の装置。
【請求項１７】
前記プロセスが、データが送信されることを示す制御メッセージを前記ノードのいずれにも送らずにデータを送信することをさらに備える、請求項１４に記載の装置。
【請求項１８】
前記サブセットのノードの各々にデータが送信された後、前記サブセットのノードから、データを要求する第３の制御メッセージを受信するように構成された受信機をさらに備える、請求項１４に記載の装置。
【請求項１９】
前記プロセスが、前記送信機を介して前記サブセットのノードに第１の制御メッセージを送信することを備え、前記第１の制御メッセージが、前記複数のノードの前記サブセットの第１のノードを示す、請求項１に記載の装置。
【請求項２０】
前記プロセスが、前記第１のノードから第２の制御メッセージが受信された場合、前記送信機を介して前記第１のノードに第１のノードデータを送信することをさらに備える、請求項１９に記載の装置。
【請求項２１】
前記プロセスが、前記第１のノードから第２の制御メッセージが受信されなかった場合、前記第１のノードに第１のノードデータを送信しないことをさらに備える、請求項１９に記載の装置。
【請求項２２】
第２のノードが、前記第１の制御メッセージを受信した後、第１の時間期間のあいだに選択的に少なくとも一部は電力が切断されるように構成された、請求項１９に記載の装置。
【請求項２３】
前記第２のノードが、前記第１の時間期間のあいだにネットワーク割り当てベクトル（ＮＡＶ）を設定するように構成された、請求項２２に記載の装置。
【請求項２４】
前記第１のメッセージが、トラフィック指示マップ（ＴＩＭ）ページングメッセージを備える、請求項１に記載の装置。
【請求項２５】
前記送信機が、ＩＥＥＥ８０２．１１ａｈプロトコルに従って前記第１のメッセージを送信するように構成された、請求項１に記載の装置。
【請求項２６】
通信媒体を介して複数のノードに第１のメッセージを送信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始することと、
を備える、ワイヤレス通信のための方法。
【請求項２７】
通信媒体を介して複数のノードに第１のメッセージを送信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するための手段と、
を備える、ワイヤレス通信のための装置。
【請求項２８】
通信媒体を介して複数のノードに第１のメッセージを送信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するためのコードと、
を備える、コンピュータ可読媒体
を備える、コンピュータプログラム製品。
【請求項２９】
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始される、ことと、
を行うように構成された受信機
を備える、ワイヤレス通信のための装置。
【請求項３０】
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始される、ことと、
を備える、ワイヤレス通信のための方法。
【請求項３１】
通信媒体を介して、複数のノードに送信された第１のメッセージを受信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信するための手段であって、前記プロセスが、前記第１のメッセージの送信後、前記第１のメッセージを送信したノードによって開始される、と、
を備える、ワイヤレス通信のための装置。
【請求項３２】
通信媒体を介して、複数のノードに送信された第１のメッセージを受信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信するためのコードであって、前記プロセスが、前記第１のメッセージの送信後、前記第１のメッセージを送信したノードによって開始される、と、
を備える、コンピュータ可読媒体
を備える、コンピュータプログラム製品。
【発明の詳細な説明】
【技術分野】
【０００１】
米国特許法第１１９条に基づく優先権の主張
[0001]本特許出願は、本出願の譲受人に譲渡され、参照により明確に本明細書に組み込まれる、２０１２年２月１３日に出願された「ＳＹＳＴＥＭＳ  ＡＮＤ  ＭＥＴＨＯＤＳ  ＦＯＲ  ＡＣＣＥＳＳ  ＰＯＩＮＴ  ＴＲＩＧＧＥＲＥＤ  ＴＲＡＮＳＭＩＳＳＩＯＮＳ  ＡＦＴＥＲ  ＴＲＡＦＦＩＣ  ＩＮＤＩＣＡＴＩＯＮ  ＭＡＰ  ＰＡＧＩＮＧ」と題する仮出願第６１／５９７，９４７号の優先権を主張する。
【０００２】
[0002]本出願は、一般にワイヤレス通信に関し、より詳細には、電力節約モードで動作するノード向けのアップリンク送信を実行するためのシステム、方法、およびデバイスに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）に応じて異なる。
【０００４】
[0004]ワイヤレスネットワークは、しばしば、ネットワーク要素がモバイルであり、そのため動的接続性の必要があるとき、またはネットワークアーキテクチャが、固定ではなくアドホックなトポロジーで形成される場合に好適である。ワイヤレスネットワークは、無線、マイクロ波、赤外線、光などの周波数帯域内の電磁波を使用して、非誘導伝搬モードで無形物理媒体を採用する。ワイヤレスネットワークは、有利なことに、固定有線ネットワークと比較して、ユーザモビリティと迅速なフィールド展開とを容易にする。
【０００５】
[0005]ワイヤレスネットワーク内のデバイスは、互いの間で情報を送信／受信することができる。さらに、ワイヤレスネットワーク内で情報をアクティブに送信／受信していないデバイスは、ドーズ状態に入って電力を節約することができ、ドーズ状態では、デバイスは情報をアクティブに送信／受信しない。これらのデバイスは、さらに、ページングメッセージを利用して、データを送信／受信するためにいつドーズ状態から起きアウェイク状態に入るかを判断することができる。したがって、ページングメッセージの後のアップリンク送信を管理するための改善されたシステム、方法、およびデバイスが望まれる。
【発明の概要】
【０００６】
[0006]本発明のシステム、方法、およびデバイスは各々いくつかの態様を有し、それらのうちの単一の態様が単独で本発明の望ましい属性を担うとは限らない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるデバイス用の改善されたページングを含む利点をどのように提供するかが理解されよう。
【０００７】
[0007]本開示の一態様はワイヤレス通信のための装置を提供し、装置は、通信媒体を介して複数のノードに第１のメッセージを送信するように構成された送信機、ここにおいて、第１のメッセージは、そこへの送信にデータが利用可能な複数のノードのサブセットを示し、第１のメッセージはさらに、複数のノードのサブセットのノードにデータが送信される時刻を示す、と、第１のメッセージが送信された後、複数のノードのサブセットに利用可能なデータを送信するためのプロセスを開始するように構成されたコントローラとを備える。
【０００８】
[0008]一態様では、ワイヤレス通信のための方法が開示され、方法は、通信媒体を介して複数のノードに第１のメッセージを送信すること、ここにおいて、第１のメッセージは、そこへの送信にデータが利用可能な複数のノードのサブセットを示し、第１のメッセージはさらに、複数のノードのサブセットのノードにデータが送信される時刻を示す、と、第１のメッセージが送信された後、複数のノードのサブセットに利用可能なデータを送信するためのプロセスを開始することとを備える。
【０００９】
[0009]一態様では、ワイヤレス通信のための装置が開示され、装置は、通信媒体を介して複数のノードに第１のメッセージを送信するための手段、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージが送信された後、複数のノードのサブセットに利用可能なデータを送信するためのプロセスを開始するための手段とを備える。
【００１０】
[0010]一態様では、コンピュータ可読媒体を備えるコンピュータプログラム製品が開示され、コンピュータ可読媒体は、通信媒体を介して複数のノードに第１のメッセージを送信するためのコード、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージが送信された後、複数のノードのサブセットに利用可能なデータを送信するためのプロセスを開始するためのコードとを備える。
【００１１】
[0011]一態様では、ワイヤレス通信のための装置が開示され、装置は、通信媒体を介して、複数のノードに送信された第１のメッセージを受信すること、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージの送信後、第１のメッセージを送信したノードによって開始される、複数のノードのサブセットに利用可能なデータを送信するためのプロセスに従って、データを受信することとを行うように構成された受信機を備える。
【００１２】
[0012]一態様では、ワイヤレス通信のための方法が開示され、方法は、通信媒体を介して、複数のノードに送信された第１のメッセージを受信すること、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージの送信後、第１のメッセージを送信したノードによって開始される、複数のノードのサブセットに利用可能なデータを送信するためのプロセスに従って、データを受信することとを備える。
【００１３】
[0013]一態様では、ワイヤレス通信のための装置が開示され、装置は、通信媒体を介して、複数のノードに送信された第１のメッセージを受信するための手段、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージの送信後、第１のメッセージを送信したノードによって開始される、複数のノードのサブセットに利用可能なデータを送信するためのプロセスに従って、データを受信するための手段とを備える。
【００１４】
[0014]一態様では、コンピュータ可読媒体を備えるコンピュータプログラム製品が開示され、コンピュータ可読媒体は、通信媒体を介して、複数のノードに送信された第１のメッセージを受信するためのコード、ここにおいて、第１のメッセージは、そこへの送信にデータが利用可能な複数のノードのサブセットを示し、第１のメッセージは、複数のノードのサブセットのノードにデータが送信される時刻をさらに示す、と、第１のメッセージの送信後、第１のメッセージを送信したノードによって開始される、複数のノードのサブセットに利用可能なデータを送信するためのプロセスに従って、データを受信するためのコードとを備える。
【図面の簡単な説明】
【００１５】
【図１】[0015]本開示の態様が採用され得る例示的なワイヤレス通信システムを示す図。
【図２】[0016]図１のワイヤレス通信システム内で採用され得る例示的なワイヤレスデバイスの機能ブロック図。
【図３】[0017]図１のワイヤレス通信システム内でアクセスポイントによりワイヤレスステーションに送信された複数の区分化されたページングメッセージを示す図。
【図４】[0018]例示的なポーリング要求メカニズムを示す図。
【図５】[0019]トラフィックマップインジケータページの後アクセスポイントが開始した送信についての例示的な実装形態を示す図。
【図６】[0020]トラフィックマップインジケータページの後アクセスポイントが開始した送信についての別の例示的な実装形態を示す図。
【図７】[0021]トラフィックマップインジケータページの後アクセスポイントが開始した送信についての別の例示的な実装形態を示す図。
【図８】[0022]トラフィックマップインジケータページの後アクセスポイントが開始した送信についての別の例示的な実装形態を示す図。
【図９】[0023]トラフィックマップインジケータページの後アクセスポイントが開始した送信のための例示的な方法のフローチャート。
【図１０】[0024]図１のワイヤレス通信システム内で採用され得る例示的なワイヤレスデバイスの機能ブロック図。
【図１１】[0025]トラフィックマップインジケータページの後アクセスポイントが開始した送信を受信するための例示的な方法のフローチャート。
【図１２】[0026]図１のワイヤレス通信システム内で採用され得る例示的なワイヤレスデバイスの別の機能ブロック図。
【発明を実施するための形態】
【００１６】
[0027]添付の図面を参照して、新規のシステム、装置、および方法の様々な態様が、以下でより十分に記載される。しかしながら、本開示は、多くの異なる形態で具現化され得るものであり、本開示全体にわたって提示される任意の特定の構造または機能に限定されるものと解釈されるべきでない。むしろ、これらの態様は、本開示が周到で完全になり、本開示の範囲を当業者に十分に伝えるように提供される。本明細書の教示に基づいて、本開示の範囲が、本発明の任意の他の態様とは無関係に実装されるにせよ、本開示の任意の他の態様と組み合わせて実装されるにせよ、本明細書で開示される新規のシステム、装置、および方法のいかなる態様もカバーするものであることを、当業者は諒解されたい。たとえば、本明細書に記載の態様をいくつでも使用して、装置が実装され得るか、または方法が実践され得る。加えて、本発明の範囲は、本明細書に記載の本発明の様々な態様に加えて、またはそれらの態様以外に、他の構造、機能、または構造および機能を使用して実践されるそのような装置または方法をカバーするものとする。本明細書で開示される任意の態様が請求項の１つまたは複数の要素によって具現化され得ることを理解されたい。
【００１７】
[0028]本明細書では特定の態様が記載されるが、これらの態様の多くの変形形態および置換は本開示の範囲内に入る。好ましい態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能であるものとし、そのうちのいくつかが、例として図および好ましい態様の以下の説明で示される。発明を実施するための形態および図面は、限定的なものではなく本開示を説明するものにすぎず、本開示の範囲は添付の特許請求の範囲およびその均等物によって規定される。
【００１８】
[0029]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを一緒に相互接続するために使用され得る。本明細書に記載される様々な態様は、ワイヤレスプロトコルなどの任意の通信規格に適用することができる。
【００１９】
[0030]いくつかの態様では、サブギガヘルツ帯域内のワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、８０２．１１ａｈプロトコルに従って送信され得る。８０２．１１ａｈプロトコルの実装形態は、センサ、メータリング、およびスマートグリッドネットワークに使用され得る。有利なことに、８０２．１１ａｈプロトコルを実装するいくつかのデバイスの態様は、他のワイヤレスプロトコルを実装するデバイスよりも少ない電力を消費することがあり、かつ／または比較的長い距離、たとえば約１キロメートル以上にわたってワイヤレス信号を送信するために使用され得る。
【００２０】
[0031]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションまたは「ＳＴＡ」とも呼ばれる）クライアントが存在し得る。概して、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。ＳＴＡまたはＡＰは、ワイヤレス通信ネットワークにおけるノードと呼ばれることがある。
【００２１】
[0032]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００２２】
[0033]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続能力を有するハンドヘルドデバイス、またはワイヤレスモデムに接続された何らかの他の適切な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスまたはシステム、全地球測位システムデバイス、あるいはワイヤレス媒体を介して通信するように構成された任意の他の適切なデバイスに組み込まれ得る。
【００２３】
[0034]上記で説明されたように、本明細書に記載されるデバイスのいくつかは、たとえば、８０２．１１ａｈ規格を実装することができる。そのようなデバイスは、ＳＴＡとして使用されるか、ＡＰとして使用されるか、他のデバイスとして使用されるかにかかわらず、スマートメータリングのために、またはスマートグリッドネットワークにおいて使用され得る。そのようなデバイスは、センサアプリケーションを提供できるか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットとともに使用する）拡張範囲インターネット接続性を可能にするため、またはマシンツーマシン通信を実装するために、監視に使用され得る。
【００２４】
[0035]図１は、本開示の態様が採用され得る例示的なワイヤレス通信システム１００を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含み得る。
【００２５】
[0036]様々なプロセスおよび方法は、ＡＰ１０４とＳＴＡ１０６との間の、ワイヤレス通信システム１００内の送信に使用され得る。たとえば、信号は、ＯＦＤＭ／ＯＦＤＭＡ技法に従って、ＡＰ１０４とＳＴＡ１０６との間で送受信され得る。この場合、ワイヤレス通信システム１００は、ＯＦＤＭ／ＯＦＤＭＡシステムと呼ばれることがある。代替として、信号は、ＣＤＭＡ技法に従って、ＡＰ１０４とＳＴＡ１０６との間で送受信され得る。この場合、ワイヤレス通信システム１００は、ＣＤＭＡシステムと呼ばれることがある。
【００２６】
[0037]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替として、ダウンリンク１０８は順方向リンクまたは順方向チャネルと呼ばれることがあり、アップリンク１１０は逆方向リンクまたは逆方向チャネルと呼ばれることがある。
【００２７】
[0038]ＡＰ１０４は、基地局として働き、基本サービスエリア（ＢＳＡ）１０２においてワイヤレス通信カバレージを提供することができる。ＡＰ１０４は、ＡＰ１０４に関連付けられ、かつ通信用にＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書に記載されたＡＰ１０４の機能は、ＳＴＡ１０６のうちの１つまたは複数によって代替的に実行され得る。
【００２８】
[0039]ＡＰ１０４は、ダウンリンク１０８などの通信リンクを介して、システム１００の他のノードＳＴＡ１０６にビーコン信号（または単に「ビーコン」）を送信することができ、ビーコン信号は、他のノードＳＴＡ１０６がそれらのタイミングをＡＰ１０４と同期させるのを助けることができるか、または他の情報もしくは機能を提供することができる。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含むことがあり、それらのうちのいくつかが以下でさらに詳細に記載される。したがって、ビーコンは、いくつかのデバイスの間で共通の（たとえば共有された）情報と、所与のデバイスに固有の情報の両方を含み得る。
【００２９】
[0040]いくつかの態様では、ＳＴＡ１０６は、ＡＰ１０４に通信を送り、かつ／またはＡＰ１０４から通信を受信するために、ＡＰ１０４と関連することが必要であり得る。一態様では、関連するための情報は、ＡＰ１０４によってブロードキャストされるビーコンに含まれる。そのようなビーコンを受信するために、ＳＴＡ１０６は、たとえば、カバレージ領域にわたって広カバレージ探索を実行することができる。探索はまた、ＳＴＡ１０６が、たとえば、灯台方式でカバレージ領域をスイープすることによって実行され得る。関連するための情報を受信した後、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００３０】
[0041]図２は、図１のワイヤレス通信システム１００内で採用され得るワイヤレスデバイス２０２の例示的な機能ブロック図を示す。ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備えることができる。
【００３１】
[0042]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に提供することができる。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実施するように実行可能であり得る。
【００３２】
[0043]プロセッサ２０４は、１つまたは複数のプロセッサとともに実装された処理システムを備えることがあり、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せを用いて実装され得る。
【００３３】
[0044]処理システムはまた、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、１つまたは複数のプロセッサによって実行されたとき、本明細書に記載される様々な機能を処理システムに実行させる。
【００３４】
[0045]ワイヤレスデバイス２０２はまた、ワイヤレスデバイス２０２とリモートロケーションとの間のデータの送信と受信とを可能にするために、送信機２１０および／または受信機２１２を含むことあるハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００３５】
[0046]ワイヤレスデバイス２００は、ワイヤレスデバイス２００が情報をアクティブに送信／受信しない低電力状態または「ドーズ」状態で動作するように構成され得る。たとえば、トランシーバ２１４の一部または全部は、少なくとも一部は電力が切断され得る。
【００３６】
[0047]送信機２１０は、メッセージをワイヤレスに送信するように構成され得、このメッセージは、以下で説明されるように、ワイヤレスデバイスがドーズ状態から起きアウェイク状態に入る必要があるか否かを他のワイヤレスデバイスに示すように構成される「ページングメッセージ」と呼ばれ得る。たとえば、送信機２１０は、上記で説明された、プロセッサ２０４によって生成されたページングメッセージを送信するように構成され得る。ワイヤレスデバイス２０２がＳＴＡ１０６として実装または使用されるとき、プロセッサ２０４は、ページングメッセージを処理するように構成され得る。ワイヤレスデバイス２０２がＡＰ１０４として実装または使用されるとき、プロセッサ２０４はまた、ページングメッセージを生成するように構成され得る。
【００３７】
[0048]受信機２１２は、たとえば、ページングメッセージをワイヤレスに受信するように構成され得る。
【００３８】
[0049]ワイヤレスデバイス２０２はまた、送受信機２１４によって受信された信号のレベルを検出し定量化するために使用され得る信号検出器２１８を含み得る。信号検出器２１８は、総エネルギー、シンボルごとのサブキャリア当たりのエネルギー、電力スペクトル密度および他の信号などの信号を検出することができる。ワイヤレスデバイス２０２はまた、信号を処理する際に使用するデジタル信号プロセッサ（ＤＳＰ）２２０を含み得る。ＤＳＰ２２０は、送信のためのパケットを生成するように構成され得る。いくつかの態様では、パケットは物理層データユニット（ＰＰＤＵ）を備え得る。
【００３９】
[0050]いくつかの態様では、ワイヤレスデバイス２０２は、ユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝達し、かつ／またはユーザからの入力を受信する、任意の要素または構成要素を含み得る。
【００４０】
[0051]ワイヤレスデバイス２０２の様々な構成要素は、バスシステム２２６によって互いに結合され得る。バスシステム２２６は、たとえば、データバスを含むことがあり、ならびに、データバスに加えて、電力バス、制御信号バス、およびステータス信号バスを含み得る。ワイヤレスデバイス２０２の構成要素は、何らかの他のメカニズムを使用して、互いに結合されるか、または互いに対する入力を受け付けるか、もしくは提供することができることを当業者は諒解されよう。
【００４１】
[0052]いくつかの別々の構成要素が図２に示されているが、それらの構成要素のうちの１つまたは複数は、組み合わされるか、または共通に実装されることがあることを当業者は認識されよう。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別々の要素を使用して実装され得る。
【００４２】
[0053]ワイヤレスデバイス２０２は、ＡＰ１０４またはＳＴＡ１０６を備えることがあり、ページングメッセージを含む通信を送信および／または受信するために使用され得る。すなわち、ＡＰ１０４またはＳＴＡ１０６のいずれかは、ページングメッセージの送信機デバイスまたは受信機デバイスとして働くことができる。いくつかの態様は、信号検出器２１８が、送信機または受信機の存在を検出するために、メモリ２０６およびプロセッサ２０４上で実行しているソフトウェアによって使用されることを企図する。
【００４３】
[0054]ＳＴＡ１０６は、複数の動作モードを有することができる。たとえば、ＳＴＡ１０６は、アクティブモードと呼ばれる第１の動作モードを有することができる。アクティブモードでは、ＳＴＡ１０６は、常に「アウェイク」状態であり得るし、ＡＰ１０４とデータをアクティブに送信／受信することができる。さらに、ＳＴＡ１０６は、省電力モードと呼ばれる第２の動作モードを有することができる。省電力モードでは、ＳＴＡ１０６は、「アウェイク」状態、または「ドーズ」もしくは「スリープ」状態であり得るし、そこでＳＴＡ１０６は、ＡＰ１０４とデータをアクティブに送信／受信しない。たとえば、ＳＴＡ１０６の受信機２１２、ならびに、場合によってはＤＳＰ２２０および信号検出器２１８は、ドーズ状態で低減された電力消費を使用して動作することができる。ＳＴＡ１０６は、少なくとも部分的にドーズ状態のトランシーバの一部分の電源を切断することができる。さらに、省電力モードでは、ＳＴＡ１０６は、時々アウェイク状態に入って、ＳＴＡ１０６がＡＰ１０４とデータを送受信することができるように、ある時刻に「起きる」（たとえば、アウェイク状態に入る）必要があるか否かをＳＴＡ１０６に示すＡＰ１０４からのメッセージ（たとえば、ページングメッセージ）をリッスンすることができる。
【００４４】
[0055]したがって、いくつかのワイヤレス通信システム１００では、ＡＰ１０４は、ＡＰ１０４と同じネットワーク内の省電力モードにある複数のＳＴＡ１０６に、ＳＴＡ１０６に対するＡＰ１０４にバッファリングされたデータがあるか否かを示すページングメッセージを送信することができる。ＳＴＡ１０６はまた、この情報を使用して、アウェイク状態またはドーズ状態である必要があるか否かを判断することができる。たとえば、ＳＴＡ１０６がページングされていないと判断した場合、ＳＴＡ１０６はドーズ状態に入ることができる。代替として、ＳＴＡ１０６がページングされ得ると判断した場合、ＳＴＡ１０６は、一定期間アウェイク状態に入ってページングを受信し、さらにページングに基づいてアウェイク状態にいつ入るかを決定することができる。さらに、ＳＴＡ１０６は、ページングを受信した後、一定期間アウェイク状態のままでいることができる。別の例では、ＳＴＡ１０６は、ページングされたときも、ページングされないときも、本開示に一致する他の方法で機能するように構成され得る。
【００４５】
[0056]いくつかの態様では、ページングメッセージは、トラフィック通知マップ（ＴＩＭ）などのビットマップ（この図には示されていない）を備え得る。いくつかのそのような態様では、ビットマップはいくつかのビットを備え得る。これらのページングメッセージは、ビーコンまたはＴＩＭのフレームでＡＰ１０４からＳＴＡ１０６に送られ得る。ビットマップ内の各ビットは、複数のＳＴＡ１０６のうちの特定のＳＴＡ１０６に対応することができ、各ビットの値（たとえば、０または１）は、対応するＳＴＡ１０６が入るべき状態（たとえば、ドーズ状態またはアウェイク状態）を示すことができる。それゆえに、ビットマップのサイズは、ワイヤレス通信システム１００内のＳＴＡ１０６の数に正比例することができる。したがって、ワイヤレス通信システム１００内のＳＴＡ１０６の数が多いと、ビットマップが大きくなる可能性がある。
【００４６】
[0057]図３は、図１のワイヤレス通信システム１００内でＡＰ１０４によりＳＴＡ１０６に送信された複数の区分化されたページングメッセージ３０２を示す。図示されたように、時間は、時間軸３０４にわたってページの端から端まで水平方向に増大する。図示されたように、ＡＰ１０４は、複数のページングメッセージ３０２を送信するように構成される。ページングメッセージ３０２は、ＴＩＭフレーム内で、ビーコン内で、またはいくつかの他の適切なシグナリングを使用して送られ得る。ＳＴＡ１０６は、ページングメッセージ３０２のうちの１つまたは複数をリッスンするように構成され得る。１つまたは複数のページングメッセージ３０２に続いて、ＳＴＡ１０６は、ＡＰ１０４に要求を送信し、ＡＰ１０４から応答を受信するように構成され得る。
【００４７】
[0058]ページングプロセスにより、１つまたは複数のページングメッセージ３０２を受信するＳＴＡ１０６の数が多くなり得る。たとえば、同じＴＩＭ内の多数のＳＴＡ１０６が１つまたは複数のページングメッセージ３０２を受信することができ、その結果、１つまたは複数のＳＴＡ１０６がＴＩＭの後媒体上のＡＰ１０４に要求を送信するために競合することになる。それゆえに、同時に、またはほぼ同時に、少なくとも２つのＳＴＡ１０６がＡＰ１０４に要求を送信するように試みる状況では、ＡＰ１０４によって受信されるデータに破損をもたらす衝突が発生する可能性がある。
【００４８】
[0059]図４は、ポーリング要求メカニズム４００を示す。ポーリング要求メカニズム４００は、図１のワイヤレス通信システム１００内でＡＰ１０４およびＳＴＡ１０６によって使用され得る。図示されたように、時間は、スロット時間４２４からスロット時間４４０まで、ページの端から端まで水平方向に増加する。図４によって示された実装形態は競合ベースのシステムを示し、そこでは、異なるＳＴＡが媒体に対するアクセスを得るために競合する場合がある。対照的に、下記でさらに記載されるような図５〜図８は、下記でさらに記載されるような図４の実装形態にわたる様々な態様において改善を有することができる、代替の実装形態を示す。
【００４９】
[0060]一般に、ＴＩＭ４１０などのページングメッセージの送信後、ページングされたＳＴＡ１０６に時間間隔が確保され得る。確保は、メッセージ（たとえば、ページングメッセージ、追加メッセージ）を送信して、確保された期間の持続時間の間、ページングされていないＳＴＡに媒体へのアクセスを延期させることによって実現され得る。いくつかの実装形態では、アクセスの延期は、ページングされていないＳＴＡがそれらのネットワーク割り当てベクトル（ＮＡＶ）を設定できるように、確保するフレームの延期フィールド値を設定することによって実現され得る。他の実装形態では、アクセスの延期は、ページングフレームの前または後に追加フレームを送ることによって実現され得るし、ここで、追加フレームは確保された期間の持続時間を示す。
【００５０】
[0061]確保された時間間隔の間、ページングされたＳＴＡ１０６は、ＡＰ１０４に要求（たとえば、電力節約ポーリング（ＰＳ−ＰＯＬＬ）要求４１２、４１６、および４２０）を送り、ＡＰ１０４から応答（たとえば、応答４１４、４１８、および４２２）を受信することができる。複数のページングされたＳＴＡ１０６は、本明細書に記載されるような様々な方法により、確保された時間間隔の間競合し得る。いくつかの実施形態では、ページングされなかったＳＴＡ１０６は、確保された時間間隔の間競合し得ない。確保された時間間隔が過ぎると、ＳＴＡ１０６は、ＡＰ１０４に要求を送るために競合を開始し得る。一実施形態では、ＡＰ１０４は、確保された時間間隔の持続時間を決定し得る。確保された時間間隔は、ページングされたＳＴＡ１０６のすべてがＡＰ１０４に要求を送り、ＡＰ１０４から応答を受信するのに十分であるべきである。限定ではなく例として、確保された時間間隔の持続時間は、ページングされたＳＴＡ１０６の数の関数であり得る。
【００５１】
[0062]ポーリング要求メカニズム４００は、ＳＴＡ４０２、ＳＴＡ４０４、およびＳＴＡ４０６が、衝突を回避するような方法で、ＡＰ４０８にＰＳ−ＰＯＬＬ４１２、４１６、および４２０のような要求を送信できる実施形態を示す。ＳＴＡ４０２、ＳＴＡ４０４、およびＳＴＡ４０６は、本明細書に記載されたＳＴＡ１０６と同様であり得る。いくつかの実施形態では、ＳＴＡ４０２、ＳＴＡ４０４、およびＳＴＡ４０６は、ある順序でＡＰ４０８に要求を送信することができる。ＡＰ４０８は、本明細書に記載されたＡＰ１０４と同様であり得る。ＴＩＭ４１０などのページングメッセージは、ＳＴＡ４０２、ＳＴＡ４０４、およびＳＴＡ４０６についての順序付けを暗示的または明示的に規定することができる。たとえば、ＳＴＡ４０２とＳＴＡ４０４の両方がページングされていることをＴＩＭ４１０のビットマップが示す場合、ＴＩＭ４１０のビットマップはまた、ＳＴＡ４０２がＳＴＡ４０４の前であるか、または後であるかを暗示的または明示的に示す。一例では、順序は、ページングされたＳＴＡがビットマップ表示で現れる順序によって決定され得る。ビットマップ｛０，１，０，０，１，１｝を考えると、位置２にあるビットに関連付けられたＳＴＡは、位置５にあるビットに関連付けられたＳＴＡの前にあるとみなされる。いくつかの実装形態では、圧縮されたビットマップは、ＳＴＡ識別子のリストとして表され得る。この場合、ＳＴＡ識別子がリスト内で現れる順番が、順序を決定することができる。リスト｛１３，２５，５，２２｝を考えると、識別子「１３」に関連付けられたＳＴＡは、「５」によって識別されたＳＴＡの前に来るとみなされる。別の態様では、順序は、メッセージ表示には関係なく、ＳＴＡ識別子の値から導出され得る。
【００５２】
[0063]いくつかの実装形態では、ＴＩＭ４１０のビットマップシーケンス内のＳＴＡ４０２、ＳＴＡ４０４、およびＳＴＡ４０６の位置は、上述されたように、ＳＴＡ４０２、ＳＴＡ４０４、またはＳＴＡ４０６の位置の関数であり得る。順序は、さらに他の指示に依存する場合があり、指示は、ページングメッセージに含まれるか、またはＳＴＡ４０２、ＳＴＡ４０４、および／もしくはＳＴＡ４０６で既知とみなされるかのいずれかである。たとえば、指示は、ページングメッセージ（たとえば、ＴＩＭ４１０）内のタイミング同期関数（ＴＳＦ）を含む場合がある。そのような実装形態では、最初のＳＴＡは、その識別子が「１」に設定されたＳＴＡであり、ＴＳＦの１２個の最下位ビット（ＬＳＢ）に関連付けられた位置の後の順序内で最初である、ＴＩＭ４１０のビットマップシーケンス内の位置を有することができる。様々な指示を組み込んだ多くの他の関数が、ＴＳＦに基づく結果と同様の結果を実現するために含まれ得る。順序の計算にＴＳＦを含めることの１つの有益な結果は、使用されるＴＳＦの部分が各送信で異なる場合、各送信で順序が変更され得ることである。
【００５３】
[0064]いくつかの実装形態では、ページングメッセージの送り側は、順序付け情報の使用を含む任意の基準に従って、ページングされるＳＴＡの順序を決定することができる。たとえば、送り側ＡＰ４０８は、ＳＴＡ４０２、ＳＴＡ４０４、およびＳＴＡ４０６のＱｏＳ要件、電力節約要件、または他の性能パラメータに基づいて、それらを順序付けることができる。いくつかの実装形態では、ページングメッセージの送り側が順序の明示的な指示をメッセージに含めることが望ましい場合がある。この順序の明示的な指示は、ＴＩＭ４１０のビットマップに基づくのではなく、むしろ本明細書に記載された別の要因に基づき得る。
【００５４】
[0065]限定するものではなく、例示目的のみで、図４は、ＳＴＡ４０２、ＳＴＡ４０４、次いでＳＴＡ４０６の順序を描写する。ＳＴＡ４０２がＡＰ４０８に要求を送信する最初のＳＴＡであり得るが、ＳＴＡ４０２は、ＴＩＭ４１０の直後に要求を送信しない場合がある。ＳＴＡ４０２、ＳＴＡ４０４、およびＳＴＡ４０６の各々は、ＩＥＥＥ８０２．１１規格において定義された分散協調機能（ＤＣＦ）または拡張分散チャネルアクセス（ＥＤＣＡ）などの媒体アクセス手順に基づいて、キャリア検知多重アクセス／衝突回避（ＣＳＭＡ／ＣＡ）を使用するように構成され得る。そのような媒体アクセスメカニズムでは、フレームの送信に関する媒体にアクセスすることを望むＳＴＡ４０２、ＳＴＡ４０４、またはＳＴＡ４０６は、バックオフカウンタを初期化する。バックオフカウンタは、適切な間隔で選ばれた乱数で初期化され得る。たとえば、適切な間隔は、０とコンテンションウィンドウ（ＣＷ）の持続時間との間の値であり得る。バックオフカウンタは、伝送媒体（たとえば、チャネル）がアイドルである間、言い換えれば、伝送媒体上でアクティビティが検出されない間、減分され得る。伝送媒体は、分散フレーム間スペース（ＤＩＦＳ）または仲裁フレーム間スペース（ＡＩＦＳ）の間隔の間、アクティビティが検出されない場合、アイドルであると考えられ得る。媒体がＤＩＦＳまたはＡＩＦＳの時間間隔の間アイドルであった後、バックオフカウンタは、スロット時間に等しい持続時間の各追加連続アイドル間隔当たり１単位ずつ減分され得る。アクティビティが媒体上で検出されたとき、バックオフカウントダウンは凍結され、本明細書に記載されたように、媒体が再びアイドルになったときに再開され得る。ＳＴＡ４０２、ＳＴＡ４０４、およびＳＴＡ４０６は、バックオフカウンタが０またはカウンタの最小値を表す任意の他の整数に達したとき、媒体上にパケットを送信することができる。ＤＩＦＳ間隔は、
【数１】
2015512204.tif 000003
【００５５】
と定義され得るし、ここで、ＳＩＦＳは短いフレーム間スペースである。ＡＩＦＳ間隔は、
【数２】
2015512204.tif 000004
【００５６】
と定義され得るし、ここで、ｎは２以上である。
【００５７】
[0066]ＳＴＡ４０２、ＳＴＡ４０４、およびＳＴＡ４０６の各々は、確定的なバックオフ値を使用してバックオフカウンタを初期化するように構成され得、ここで、バックオフカウンタの初期値は、ページングされたＳＴＡ４０２、ＳＴＡ４０４、およびＳＴＡ４０６の順序に基づき得る。たとえば、ＳＴＡ４０２用のバックオフカウンタの初期値は１であり得、ＳＴＡ４０４用のバックオフカウンタの初期値は２であり得、そして、ＳＴＡ４０６用のバックオフカウンタの初期値は３であり得る。このようにして、ＳＴＡ４０２、ＳＴＡ４０４、およびＳＴＡ４０６の各々が異なる時刻に媒体にアクセスすることが可能になるように、バックオフカウンタの初期値は、ＳＴＡ４０２、ＳＴＡ４０４、およびＳＴＡ４０６ごとに異なり得る。
【００５８】
[0067]いくつかの実装形態では、ＳＴＡ４０２、ＳＴＡ４０４、およびＳＴＡ４０６がそれを介してＡＰ４０８と通信するチャネルが、スロット時間４２４、４２６、４２８、４３０、４３２、４３４、４３６、４３８、および４４０の持続時間の間アイドルであるとき、ＳＴＡ４０２、ＳＴＡ４０４、およびＳＴＡ４０６の各々に関するバックオフカウンタは、バックオフ値を減分し得る。一例として、通常のスロット時間は、ＩＥＥＥ８０２．１１規格または同様のＣＳＭＡ／ＣＡプロトコルで定義されたスロット時間であり得る。ＳＴＡ４０２、ＳＴＡ４０４、および／またはＳＴＡ４０６は、それらそれぞれのバックオフ値が０またはカウンタの最小値を表す任意の他の整数に達したとき、ＰＳ−ＰＯＬＬ要求４１２、４１６、および／または４２０を送信するように構成され得る。
【００５９】
[0068]図４に記載された実装形態では、ＳＴＡ４０２、ＳＴＡ４０４、およびＳＴＡ４０６の各々は、ＳＴＡ４０２、ＳＴＡ４０４、およびＳＴＡ４０６のためにバッファリングされたデータを要求するために、ＡＰ４０８にポーリングメッセージを送るように構成される。場合によっては、これにより、余分なオーバーヘッドがもたらされ得るし、他の望ましくない影響を有し得る。複数のＳＴＡがＴＩＭフレームなどのページングメッセージを受信した後、確実な方法で媒体にアクセスすることが可能になる改善された方法を有することが望ましい場合がある。たとえば、電力消費量を低減すること、媒体占有率を低減すること、およびページングされたＳＴＡ４０２、ＳＴＡ４０４、およびＳＴＡ４０６の各々がアウェイク状態である時間を最小化することが重要であり得る。加えて、媒体へのアクセスを提供するための実装形態はまた、隠れノードを考慮に入れる必要があり得る。隠れノードは、ＡＰ４０８と通信しているが、他のＳＴＡから隠されている（すなわち、他のＳＴＡが隠れノードの存在に気付いていない）ノードであり得る。この場合、媒体を検知するＳＴＡの能力に依存する衝突回避技法について、問題が発生する可能性がある。この場合、メカニズムが、チャネルに対するアクセス遅延を最小化すると同時に、衝突を低減／除去することが望ましい。さらに、ＴＩＭページング後のアクセス方式はまた、たとえば、隣接する重複基本サービスセット（ＯＢＳＳ）送信を処理するために強固であり得る。ＳＴＡ４０４などのＳＴＡが、２つ以上の基本サービスセットを用いて、各基本サービスセットがＡＰと関連するＳＴＡとを含むところを識別する場合、ＯＢＳＳ送信５１６が発生する可能性がある。ＯＢＳＳ送信は、ＡＰ４０８とは異なるＡＰから起こり得る。
【００６０】
[0069]そのため、一実装形態によれば、ＡＰ４０８は、ページングメッセージが受信された後、ページングされたＳＴＡ４０２と、ＳＴＡ４０４と、ＳＴＡ４０６とに利用可能なデータを送信するためのプロセスを開始することができる。たとえば、ＡＰ４０８は、ＴＩＭページ４１０のフレーム内で知られ得るか、または示され得る一定の時間間隔の間、ＴＩＭページ４１０の後ページングされたＳＴＡのために通信媒体を排他的に確保することができる。ＡＰ４０８はまた、時間間隔の間様々なページングされたＳＴＡに送られるように計画された、バッファリングされたユニットの数（および関連する長さ）に基づいて、排他的な時間間隔についての持続時間を推定するように構成され得る。受信されたＴＩＭページ４１０に示されたようにＡＰ４０８がバッファリングされたデータを有していないすべてのＳＴＡは、指定された持続時間の間それらのＮＡＶを設定することができる。ページングされた（すなわち、ＡＰ４０８がＳＴＡ４０２と、ＳＴＡ４０４と、ＳＴＡ４０６とに送るためのバッファリングされたデータを有していることをＴＩＭページが示す）ＳＴＡ４０２、ＳＴＡ４０４、およびＳＴＡ４０６は、「アウェイク」モードに入ることができ、ＡＰ４０８からの制御メッセージをリッスンするように構成され得る。以下でさらに詳細に記載されるように、ＡＰ４０８は、特定のページングされたＳＴＡ４０２にデータを送るように計画していることを示す第１の制御メッセージを送ることができる。たとえば、制御メッセージは、ＡＰ４０８がバッファリングされたデータをそこに送信するように計画する特定のページングされたＳＴＡ４０２を示す送信要求（ＲＴＳ）メッセージと同様に機能することができる。ページングされたＳＴＡ４０２は、バッファリングされたデータを受信する準備ができていることを示す第２の制御メッセージで応答することができる。たとえば、第２の制御メッセージは、バッファリングされたデータを受信する準備ができていることを示す送信可（ＣＴＳ）メッセージと同様に機能することができる。他のページングされたＳＴＡ４０４およびＳＴＡ４０６は、第１の制御メッセージで示された時間期間のあいだにスリープすることができる。このプロセスは、すべてのページングされたＳＴＡについて繰り返すことができる。それらの対象とする第１の制御メッセージを受信しない（たとえば、それらがどうにかしてまだスリープしていたか、またはＯＢＳＳＳ送信などのいくつかの他の競合メッセージを受信していた）ページングされたＳＴＡは、その後、確保されたか、または確保されていない時間期間のあいだにＰＳ−ＰＯＬＬフレームなどのポーリングメッセージを送ることによって、ＡＰ４０８に要請することができる。これは、ＡＰ４０８がＳＴＡの各々にデータ送信を送ることを示した後、時間期間後発生する可能性がある。
【００６１】
[0070]図５は、ＴＩＭページ５１０の後ＡＰ５０８が開始した送信についての例示的な実装形態を示す。ＴＩＭページ５１０は第１のメッセージと呼ばれる場合がある。ＡＰ５０８は、ワイヤレス通信ネットワーク内のすべてのＳＴＡ（すなわち、ノード）にＴＩＭページ５１０を送るように構成され得る。たとえば、ＴＩＭページ５１０は、基本サービスセットによって規定されたすべてのＳＴＡに送られ得る。ＴＩＭページ５１０の送信は、スケジュールされた時間間隔の間周期的に発生する可能性がある。いくつかの実施形態では、ネットワーク内のＳＴＡは、データを受信することを予期しないとき、ドーズ状態に入るように構成され得る。ネットワーク内のこれらのＳＴＡは、スケジュールされた時間間隔の間ドーズ状態から起きてＴＩＭページ５１０を受信し、そうでない場合、データがそのＳＴＡ用にバッファリングされたことをＴＩＭページ５１０が示さない限り、ドーズ状態に戻るように構成され得る。ＴＩＭページ５１０が送信された後、ＡＰ５０８はプロセスを開始して、ページングされたＳＴＡの各々に利用可能なデータを通信するように構成され得る。たとえば、ＡＰ５０８は、ページングされたＳＴＡ５０２と、ＳＴＡ５０４と、ＳＴＡ５０６とに、バッファリングされたデータユニットを送信するための持続時間の期間５２６を確保するように構成され得る。この時間期間５２６は、ＴＩＭページ５１０内で知られ得るか、または示され得る。この時間期間は、少なくとも部分的に、ページングされたＳＴＡの数に基づく場合があるか、またはそれらのためにデータがバッファリングされていない他のページングされていないＳＴＡ（図示せず）は、少なくともこの時間期間５２６の間ドーズ状態に入るように構成され得る。追加または代替として、ページングされていないＳＴＡ（図示せず）の各々は、示された確保された時間期間のあいだにネットワーク割り当てベクトル（ＮＡＶ）を設定することができる。
【００６２】
[0071]ＴＩＭページ５１０がＡＰ５０８によって送信された後、ＡＰ５０８は、ページングされたＳＴＡ５０２、ＳＴＡ５０４、およびＳＴＡ５０６の各々に第１の制御メッセージを送ることによって、それらのためにバッファリングされたデータ（たとえば、バッファリングされたユニット）を有する、ページングされたＳＴＡ５０２、ＳＴＡ５０４、およびＳＴＡ５０６の各々をポーリングすることができる。各第１の制御メッセージは、どのデータが送られるように計画されているかについて、特定のページングされたＳＴＡ５０２と、ＳＴＡ５０４と、ＳＴＡ５０６とに示すことができる。第１の制御メッセージの各々をＡＰ５０８がいつ送るかの順序は、ＴＩＭビットマップ内のページングされたＳＴＡの順序／位置、または他のパラメータ（たとえば、ＱｏＳなど）に基づき得る。一例として、例示的な一実装形態では、ＡＰ５０８は、バッファリングされたデータをＳＴＡ１  ５０２に送る計画があることを示す第１の制御メッセージ５１２ａを送ることができる。ページングされたＳＴＡ５０２、ＳＴＡ５０４、およびＳＴＡ５０６のすべては、第１の制御メッセージ５１２ａを受信するように起きることができる。第１の制御メッセージ５１２ａは、その間データがＳＴＡ５０２に送られるように計画されている時間量を示すことができる。第１の制御メッセージ５１２ａ内で示されていないＳＴＡ５０４およびＳＴＡ５０６は、スリープすることができ、かつ／または、第１の制御メッセージ５１２ａ内で示された時間間隔に基づいて、それらのＮＡＶを設定することができる。第１の制御メッセージ５１２ａは、送信要求（ＲＴＳ）メッセージと同様に構成され得るか、または機能し得る。
【００６３】
[0072]ＳＴＡ１  ５０２は、起きている場合、何らかのフレーム間隔長の後、第２の制御メッセージ５１４ａで、第１の制御メッセージ５１２ａに応答することができる。第２の制御メッセージ５１４ａは、ＳＴＡ１  ５０２がＡＰ５０８からのデータ送信を受信する準備ができているか、または計画していることを示すことができる。いくつかの実装形態では、第２の制御メッセージ５１４ａは、送信可（ＣＴＳ）メッセージと同様に構成され得るか、または機能することができる。第２の制御メッセージ５１４ａを受信したことに応答して、ＡＰ５０８は、ＳＴＡ１  ５０２に向けられたデータ５１６ａを送ることができる。その後、ＳＴＡ１  ５０２は確認応答メッセージ５１８ａを送ることができ、ＡＰ５０８は確認応答メッセージ５１８ａを受信することができる。第１の制御メッセージ５１２ａ内で指定された時間期間が終了した後、ＡＰ５０８は、バッファリングされたデータをＳＴＡ２  ５０４に送信する計画があることを示す、次の第１の制御メッセージ５１２ｂを送ることができる。次の第１の制御メッセージ５１２ｂはまた、その間ＡＰ５０８がＳＴＡ２  ５０４にデータを送ることを計画する時間期間を示すことができる。ＳＴＡ５０２およびＳＴＡ５０６は、第１の制御メッセージ５１２ｂ内で示された時間期間のあいだにスリープモードに入ることができる。この場合、ＳＴＡ２  ５０４は、何らかの理由で、第１の制御メッセージ５１２ｂを受信することに失敗するか、または第２の制御メッセージで応答することができないことがあり得る。たとえば、ＳＴＡ２  ５０４は、何らかの理由で（たとえば、時間期間５２２の間）スリープモードに入り、第１の制御メッセージ５１２ｂを受信しないことがあり得る。別のケースでは、ＳＴＡ２  ５０４は、上述されたようにＯＢＳＳＳ送信を受信しているか、または応答できないことがあり得る。この場合、ＡＰ５０８がＳＴＡ２  ５０４から第２の制御メッセージを受信しなかったならば、ＡＰ５０８はいかなるデータも送らないことがあり得る。しかしながら、ＡＰ５０８は、時間期間５２８によって示されるように、第１の制御メッセージ５１２ｂにおいてで示された時間期間が経過するまで、他のいかなる第１の制御メッセージも送らないことがあり得、他のＳＴＡ５０２およびＳＴＡ５０６は、この時間の間スリープするように構成され得る。
【００６４】
[0073]時間期間５２８の後、ＡＰ５０８は、バッファリングされたデータをＳＴＡ３  ５０６に送ることを計画／要求していることを示す、次の第１の制御メッセージ５１２ｃを送ることができる。第１の制御メッセージ５１２ｃは、ＳＴＡ３  ５０６へのデータの送信に関するの時間期間を示すことができる。この場合、ＳＴＡ５０２およびＳＴＡ５０４は、第１の制御メッセージ５１２ｃを受信するように起こされ、第１の制御メッセージ５１２ｃにおいて示された時間期間の持続時間の間、応答してそれらのＮＡＶを設定し、かつ／またはスリープすることができる。他の実装形態では、ページングされたＳＴＡは、ＡＰ５０８からそのバッファリングされたデータを受信すると、それに応じて、持続時間５２６の残りの間スリープし、そのＮＡＶを設定することができる。第１の制御メッセージ５１２ｃを受信した後、ＳＴＡ３  ５０６は、バッファリングされたデータを受信する準備ができていることを示す、上述されたような第２の制御メッセージ５１４ｃで応答することができる。その後、ＡＰ５０８はＳＴＡ３  ５０６にデータ５１６ｃを送ることができる。その後、ＡＰ５０８は、データが成功裏に受信された場合、ＳＴＡ３  ５０６から確認応答メッセージ５１８ｃを受信することができる。場合によっては、確認応答メッセージ５１８ｃが受信されなかった場合、ＡＰ５０８は、データを再送しようと試みて第１の制御メッセージ（図示せず）を再送するように構成され得る。このプロセスは、ＡＰ５０８がそれに向けて送るバッファリングされたデータを有しているすべてのＳＴＡについて繰り返され得る。
【００６５】
[0074]いくつかの場合では、ＳＴＡ２  ５０４は、時間期間５２４において起き、またはそうでない場合では、第１の制御メッセージ５１２ｂを逃すかもしくはそれに応答できなかった後、ＡＰ５０８と通信する（たとえば、衝突）ように構成され得る。この場合、ＳＴＡ２  ５０４は、ＳＴＡ２  ５０４のためにバッファリングされているデータを要求しているＡＰ５０８に、ポーリングメッセージ５２０を送るように構成され得る。たとえば、ＳＴＡ２  ５０４は、バッファリングされたユニットの送信を要請するＰＳ−ＰＯＬＬをＡＰ５０８に送り得る。それに応答して、ＡＰ５０８は、ＳＴＡ２  ５０４にデータ５１６ｂを送り、確認応答５１８ｂを受信し得る。
【００６６】
[0075]場合によっては、ページングされたＳＴＡ５０２、ＳＴＡ５０４、またはＳＴＡ５０６のうちの１つは、隠れノードであり得る。たとえば、ＳＴＡ３  ５０６は、ＳＴＡ５０２およびＳＴＡ５０４に対して隠され得るが、すべては、ＡＰ５０８からの送信を見ることができる。この場合、ＳＴＡ５０２、ＳＴＡ５０４、およびＳＴＡ５０６の各々は、ＡＰ５０８の応答を待っており、応答を待つことは、ＳＴＡ５０２、ＳＴＡ５０４、およびＳＴＡ５０６が媒体にアクセスすることを防止するには十分である。
【００６７】
[0076]いくつかの実装形態では、ＴＩＭページなどのページングメッセージは、ＳＴＡの順序付けを暗示的または明示的に規定することができる。たとえば、第１の制御メッセージの各々をＡＰ５０８がいつ送るかの順序は、ＴＩＭビットマップ内のページングされたＳＴＡの順序／位置に基づき得る。いくつかの実装形態では、ＳＴＡは、データがそれらに送信されることを予期していない時間の間、選択的に少なくとも一部は電源を切断するように構成され得る。ＳＴＡは、ＴＩＭビットマップ内のそれらの順序／位置に応答して、選択的に少なくとも一部は電源を切断するように構成され得る。たとえば、ＡＰ５０８は、各ＳＴＡがそれ用にバッファリングされたデータを有することを示すことができるＴＩＭビットマップを、ＳＴＡ１  ５０２と、ＳＴＡ２  ５０４と、ＳＴＡ３  ５０６とに送ることができる。各ＳＴＡは、ＴＩＭビットマップ内で各ＳＴＡが識別された順序を判断し、この情報を少なくとも部分的に利用して、各ＳＴＡがどのくらい長く少なくとも一部は電源を切断するかまたはスリープするかを判断するように構成され得る。たとえば、ＳＴＡ３  ５０６は、ＴＩＭビットマップ内で３番目のＳＴＡであり得る。ＳＴＡ３  ５０６は、この情報を使用して、ＳＴＡ１  ５０２と、ＳＴＡ２  ５０４とにデータを送信するのに要する可能性がある時間に等しい時間期間のあいだに、スリープすることができる。
【００６８】
[0077]いくつかの実装形態では、データは、個別に単一のＳＴＡに対する配信用に送られ得る。たとえば、ＡＰ５０８は、ＳＴＡ１  ５０２に向けられたデータ５１６ａを送ることができる。このデータは、ＳＴＡ１  ５０２のみに向けられ得るし、したがって、ＳＴＡ１  ５０２に対する配信用に送られ得る。このタイプのシステムは、ユニキャストシステムと呼ばれる場合があり、ＳＴＡ１  ５０２などのＳＴＡとＡＰ５０８との間の１対１接続を備えることができる。いくつかの実装形態では、データは複数のＳＴＡに向けられたマルチキャストデータであり得る。たとえば、データはＳＴＡ１  ５０２と、ＳＴＡ２  ５０４と、ＳＴＡ３  ５０６とに向けられ得る。マルチキャストデータは、各ＳＴＡに向けられ得るか、またはＳＴＡのサブセットに向けられ得る。各ＳＴＡに個別にデータを送ることが望ましい場合があるか、または複数のＳＴＡに同時にデータを送ることが望ましい場合がある。たとえば、ＡＰ５０８は、複数のＳＴＡに同時にデータをマルチキャストするように構成され得る。そのような実装形態では、データが多数のＳＴＡにマルチキャストされるように意図された場合、多数の制御メッセージをもたらす可能性があるので、ＳＴＡにＡＰ５０８へ制御メッセージを送らせないことが有利であり得る。
【００６９】
[0078]図６は、トラフィックマップインジケータページの後アクセスポイントが開始した送信についての別の例示的な実装形態を示す。この実装形態は、図５に示された実装形態と同様に機能することができるが、図６に示されたように、現在のＳＴＡが、何らかのさらなる小さい時間期間に加えて第２の制御メッセージの持続時間の間だけ待った後で、第２の制御メッセージで応答しなかった場合、ＡＰ６０８は、第１の制御メッセージを次のＳＴＡに送ることができる。たとえば、さらなる小さい時間期間は、上述されたような分散フレーム間スペース（ＤＩＦＳ）持続時間に対応することができる。
【００７０】
[0079]図示されたように、ＡＰ６０８は、ページングされたＳＴＡ６０２、ＳＴＡ６０４、およびＳＴＡ６０６に対するバッファリングされたデータの送信用に時間期間６２６を確保できるＴＩＭページ６１０を送信することができる。図５に同様に示されたように、その後、ＡＰ６０８は、ＳＴＡ１  ６０２にデータを送りたいことを示す第１の制御メッセージ６１２ａを送ることができる。その後、ＳＴＡ１  ６０２は、ＡＰ６０８からデータを受信する準備ができていることを示す第２の制御メッセージ６１４ａを送ることができる。その後、ＡＰ６０８は、ＳＴＡ１  ６０２にデータ６１６ａを送り、確認応答６１８ａを受信することができる。その後、ＡＰ６０８は、ＳＴＡ２  ６０８にデータを送りたいことを示す次の第１の制御メッセージ６１２ｂを送信することができる。しかしながら、上述されたように、様々な理由（たとえば、衝突またはスリープモード内）で、ＳＴＡ２  ６０８は、第２の制御メッセージで応答しない場合がある。この場合、ＡＰ６０８がＳＴＡ２  ６０４から第２の制御メッセージを受信しなかった場合、計画された持続時間の間待つのではなく、ＡＰ６０８は、時間期間６２８によって部分的に示された、ＤＩＦＳなどの何らかのさらなる規定された時間量に加えて、第２の制御メッセージを受信できる時間期間のあいだ待った後、別の第１の制御メッセージ６１２ｃを送ることができる。第１の制御メッセージ６１２ｃは、ＡＰ６０８がＳＴＡ３  ６０６用にバッファリングされたデータを送信しようとしていることを示すはずである。この場合、第１の制御メッセージ６１２ａ、６１２ｂ、および６１２ｃは、対応する第２の制御メッセージが受信されない場合にデータが送られるいかなる時間期間も示さない場合がある。ページングされたＳＴＡ６０２、ＳＴＡ６０４、およびＳＴＡ６０６のすべては、第１の制御メッセージが送られた場合、持続時間６２６の間アウェイクモードに留まるように構成され得る。しかしながら、いくつかの実装形態では、ページングされたＳＴＡは、そのバッファリングされたデータを受信すると、確認応答メッセージを送った後持続時間６２６の間スリープモードに入ることができる。
【００７１】
[0080]第１の制御メッセージ６１２ｃが送られた後、ＳＴＡ３  ６０６は、バッファリングされたデータを受信する準備ができていることを示す第２の制御メッセージ６１４ｂを送ることができる。その後、ＡＰ６０８は、データ６１６ｃを送り、確認応答メッセージ６１８ｃを受信することができる。
【００７２】
[0081]加えて、ＳＴＡ２  ６０４は、その対応する第１の制御メッセージ６１２ｂに応答しなかったが、その後、ＳＴＡ２  ６０４は、ある時点でＡＰ６０８からバッファリングされたデータを受信することができるように構成され得る。そのため、ＳＴＡ２  ６０４がデータ送信を要求するポーリングメッセージ６２０（たとえば、ＰＳ−ＰＯＬＬ）をＡＰ６０８に送ることができる、確保されたか、または確保されていない時間期間が存在する可能性がある。それに応答して、ＡＰ６０８は、対応するデータ６１６ｂを送り、確認応答メッセージ６１８ｂを受信することができる。
【００７３】
[0082]図６を参照して上述された実装形態は、ページングされたＳＴＡがアウェイク状態に入るように構成され得る時間を増加させることができるが、ページングされたＳＴＡのうちの１つが応答しない場合、浪費される確保された送信は、より少なくなり得る。そのため、いくつかの態様では、この実装形態は、ＳＴＡのうちの少なくともいくつかがＴＩＭページングの間アクティブでないとき、すべてのＳＴＡについて、媒体の利用を改善し、アクセス遅延を低減することができる。
【００７４】
[0083]図７は、トラフィックマップインジケータページの後アクセスポイントが開始した送信についての別の実装形態を示す。この場合、ＴＩＭページ７１０がＡＰ７０８によって送信された後、ＡＰ７０８はまた、バッファリングされたデータをページングされたＳＴＡ７０２と、ＳＴＡ７０４と、ＳＴＡ７０６とに送るための持続時間７２６を確保することができる。持続時間７２６は、ページングされていないＳＴＡがスリープモードに入ることを可能にするＴＩＭページ７１０内で示され得る。その後、ＡＰ７０８は、対応するページングされたＳＴＡ７０２、ＳＴＡ７０４、およびＳＴＡ７０６からのいかなる応答（たとえば、第２の制御メッセージ）も待たずに、バッファリングされたデータをページングされたＳＴＡ７０２と、ＳＴＡ７０４と、ＳＴＡ７０６とに送るように構成され得る。たとえば、ＴＩＭページ７１０を送信した後、ＡＰ７０８は、ＡＰ７０８がＳＴＡ１  ７１２ａにデータを送るように計画していることを示す第４の制御メッセージ７１２ａを送ることができる。その後、ＡＰ７０８は、いかなる応答も待たずにバッファリングされたデータ７１６ａをＳＴＡ１  ７０２に送ることができ、その後、ＳＴＡ１  ７０２がデータ７１６ａを受信した場合、ＳＴＡ１  ７０２から確認応答メッセージ７１８ａを受信することができる。これは、ＳＴＡ７０４およびＳＴＡ７０６について繰り返され得、そこで、ＡＰ７０８は、図示されたように、第４の制御信号７１２ｂと７１２ｃとを送ることができ、その後、バッファリングされたデータ７１６ｂと７１６ｂとを、ＳＴＡ７０４とＳＴＡ７０６とに送ることができる。この場合、ＡＰ７０８は、ＳＴＡ３  ７０６がデータ７１６ｃを受信した場合、ＳＴＡ３  ７０６からのみ確認応答メッセージ７１８ｃを受信することができる。ＡＰ７０８はまた、任意の他のページングされたＳＴＡに、第４の制御メッセージと任意のバッファリングされたデータとを送ることができる。持続時間７２６の中のさらなる時間期間はまた、それらそれぞれの送信を受信しなかった、ページングされたＳＴＡに使用され得る。その場合、ページングされたＳＴＡ２  ７０４は、そのバッファリングされたデータを要求するポーリングメッセージ７２０（たとえば、ＰＳ−ＰＯＬＬ）をＡＰ７０８に送ることができる。それに応答して、ＡＰ７０８は、ＳＴＡ２  ７０４にデータ７１６ｂを送り、確認応答メッセージ７１８ｂを受信することができる。ＡＰ７０８はさらに、他のページングされたＳＴＡからポーリングメッセージを受信することができる。第４の制御メッセージに基づいて、ページングされたＳＴＡが、送られようとしているデータの受信者ではないと判断した場合、第４の制御メッセージ内の情報に基づいて、ＮＡＶ持続時間の間ドーズ状態に入ることができる。他の実装形態では、ページングされたＳＴＡの各々は、アウェイクのまま留まり、第４の制御メッセージによってさらに示され得る、送られるべきそのバッファリングされたデータを待つことができる。いくつかの実装形態では、そのデータが受信されると、ページングされたＳＴＡは、残りの持続時間７２６の間ドーズ状態に入ることができる。いくつかの実装形態では、第４の制御メッセ��ジは、自分に送信可（ＣＴＳーＴｏ−Ｓｅｌｆ）メッセージと同様に構成され得るか、または機能することができる。
【００７５】
[0084]図８は、トラフィックマップインジケータページの後アクセスポイントが開始した送信についての別の例示的な実装形態を示す。図８に示されたように、図７と比較して、第４の制御メッセージは送られない場合がある。この場合、ページングされたＳＴＡにデータが送られることを示す制御メッセージは送られない。この場合、ＡＰ８０８は、持続時間８２６の中で確保された期間のあいだに、バッファリングされたデータをページングされたＳＴＡ８０２、ＳＴＡ８０４、およびＳＴＡ８０６のすべてに送ることができる。バッファリングされたデータの各パケットは、図８に示されたようなユニキャストシステムでは単一のＳＴＡに向けられ得るし、マルチキャストシステムでは複数のＳＴＡに向けられ得る。この場合、ページングされたＳＴＡ８０２、ＳＴＡ８０４、およびＳＴＡ８０６の各々は、そのページングされたＳＴＡ８０２、ＳＴＡ８０４、およびＳＴＡ８０６に向けられたデータを見るまで、アウェイク状態に留まることができる。いくつかの実装形態では、データを受信した後、かつＳＴＡのためのバッファリングされたデータがこれ以上ない場合、ＳＴＡは、確保された持続時間８２６の残りの間ドーズ状態に入ることができる。ページングされたＳＴＡ２  ８０４にデータが送られたが、ページングされたＳＴＡ２  ８０４がスリープしているか、または衝突があったかのいずれかである場合、その後、ＳＴＡ２  ８０４は、確保された（たとえば、保護された）か、または確保されていない時間間隔の間、ポーリングメッセージ８２０を送って、ページングされたデータを要求することができる。次いで、ＡＰ８０８は、データ８１６ｂを再送することができ、確認応答メッセージ８１８ｂを受信することができる。
【００７６】
[0085]各デバイスは、図５〜図８に記載された実装形態の各々またはそれらの組合せに対応できるいくつかのモードに従って動作できることを諒解されたい。そのため、モードに応じて、ＡＰおよびＳＴＡは様々に動作するように構成され得るし、ここで、モードは様々な動作条件および動作パラメータに基づいて選択される。
【００７７】
[0086]図９は、トラフィックマップインジケータページの後アクセスポイントが開始した送信のための例示的な方法のフローチャートである。ブロック９０２で、方法は、第１のメッセージが送信されると予期されていない時間期間のあいだに、選択的に少なくとも一部は電力が切断されるように構成された複数のノードに、通信媒体を介して第１のメッセージを送信することを含むことができる。第１のメッセージは、そこへの送信にデータが利用可能な複数のノードのサブセットを示す。第１のメッセージは、ＴＩＭページに対応することができる。ブロック９０４で、方法は、第１のメッセージが送信された後、複数のノードのサブセットに利用可能なデータを送信するためのプロセスを開始することを含む。プロセスは、図５〜図８を参照して上述された任意の実装形態またはそれらの任意の組合せに対応することができる。方法９００は、アクセスポイントに実装され得る。
【００７８】
[0087]図１０は、ワイヤレス通信システム１００内で採用され得る例示的なワイヤレスデバイス１０００の機能ブロック図である。デバイス１０００は、第１のメッセージが送信されると予期されていない時間期間のあいだに、選択的に少なくとも一部は電力が切断されるように構成された複数のノードに、通信媒体を介して第１のメッセージを送信するための手段１００２を含む。第１のメッセージは、そこへの送信にデータが利用可能な複数のノードのサブセットを示す。第１のメッセージは、ＴＩＭページメッセージに対応することができる。一実施形態では、第１のメッセージを送信するための手段は、ブロック９０２を参照して上記で説明された機能のうちの１つまたは複数を実行するように構成され得る。デバイス１０００は、第１のメッセージが送信された後、複数のノードのサブセットに利用可能なデータを送信するためのプロセスを開始するための手段１００４をさらに含むことができる。プロセスを開始するための手段１００４は、ブロック９０２を参照して上記で説明された機能のうちの１つまたは複数を実行するように構成され得る。手段１００２は送信機を含むことができる。手段１００４はコントローラを含むことができる。
【００７９】
[0088]図１１は、トラフィックマップインジケータページの後アクセスポイントが開始した送信を受信するための例示的な方法のフローチャートである。ブロック１１０２で、方法は、通信媒体を介して第１のメッセージを受信することを含むことができる。第１のメッセージは、第１のメッセージが送信されると予期されていない時間期間のあいだに、選択的に少なくとも一部は電力が切断されるように構成された複数のノードに送信される。第１のメッセージは、そこへの送信にデータが利用可能な複数のノードのサブセットを示す。ブロック１１０４で、方法は、複数のノードのサブセットに利用可能なデータを送信するためのプロセスに従ってデータを受信することをさらに含むことができる。プロセスは、第１のメッセージの送信後、第１のメッセージを送信したノードによって開始される。
【００８０】
[0089]図１２は、ワイヤレス通信システム１００内で採用され得る例示的なワイヤレスデバイス１２００の機能ブロック図である。デバイス１２００は、通信媒体を介して第１のメッセージを受信するための手段１２０２を含む。第１のメッセージは、第１のメッセージが送信されると予期されていない時間期間のあいだに、選択的に少なくとも一部は電力が切断されるように構成された複数のノードに送信される。第１のメッセージは、そこへの送信にデータが利用可能な複数のノードのサブセットを示す。一実施形態では、第１のメッセージを受信するための手段１２０２は、ブロック１１０２に関して上記で説明された機能のうちの１つまたは複数を実行するように構成され得る。デバイス１２００は、複数のノードのサブセットに利用可能なデータを送信するためのプロセスに従ってデータを受信するための手段１２０４をさらに含み、プロセスは、第１のメッセージの送信後、第１のメッセージを送信したノードによって開始される。第１のメッセージは、ＴＩＭページメッセージに対応することができる。一実施形態では、データを受信するための手段１２０４は、ブロック１１０４に関して上記で説明された機能のうちの１つまたは複数を実行するように構成され得る。手段１２０２および手段１２０４は受信機を含むことができる。
【００８１】
[0090]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ内のデータにアクセスすること）などを含み得る。また、「判断」は、解決、選択、選出、確立などを含み得る。さらに、本明細書で使用する「チャネル幅」は、いくつかの態様では帯域幅を包含し得るか、または帯域幅と呼ばれることもある。
【００８２】
[0091]本明細書で使用する、項目のリスト「のうちの少なくとも１つ」を指す句は、単一のメンバを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃおよびａ−ｂ−ｃをカバーするものとする。
【００８３】
[0092]上述された方法の様々な動作は、様々なハードウェアおよび／またはソフトウェア構成要素、回路、および／またはモジュールなどの、それらの動作を実行することが可能な任意の適切な手段によって実行され得る。一般に、図に示されたどの動作も、その動作を実行することが可能な対応する機能的手段によって実行され得る。
【００８４】
[0093]本開示に関連して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて、実施または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【００８５】
[0094]１つまたは複数の態様では、記載された機能は、ハードウェア、ソフトウェア、ファームウェア、またはそれらの任意の組合せで実装され得る。ソフトウェアで実装された場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備えることができる。加えて、いくつかの態様では、コンピュータ可読媒体は、一時的コンピュータ可読媒体（たとえば、信号）を備えることができる。上記の組合せもコンピュータ可読媒体の範囲内に含まれるべきである。
【００８６】
[0095]本明細書で開示された方法は、記載された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく修正され得る。
【００８７】
[0096]記載された機能は、ハードウェア、ソフトウェア、ファームウェア、またはそれらの任意の組合せで実装され得る。ソフトウェアで実装された場合、機能は、１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得るし、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。
【００８８】
[0097]したがって、いくつかの態様は、本明細書で提示された動作を実行するためのコンピュータプログラム製品を備えることができる。たとえば、そのようなコンピュータプログラム製品は、本明細書に記載された動作を実行するために、１つまたは複数のプロセッサによって実行可能である命令を記憶した（かつ／または符号化した）コンピュータ可読媒体を備えることができる。いくつかの態様では、コンピュータプログラム製品はパッケージング材料を含み得る。
【００８９】
[0098]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００９０】
[0099]さらに、本明細書に記載された方法および技法を実行するためのモジュールおよび／または他の適切な手段は、適用可能な場合にユーザ端末および／または基地局によってダウンロードおよび／または他の方法で取得され得ることを諒解されたい。たとえば、本明細書に記載された方法を実行するための手段の転送を容易にするために、そのようなデバイスはサーバに結合され得る。代替として、本明細書に記載された様々な方法は、ユーザ端末および／または基地局がストレージ手段をデバイスに結合するかまたは提供すると様々な方法を取得することができるように、ストレージ手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【００９１】
[00100]特許請求の範囲は、上記に示された厳密な構成および構成要素に限定されないことを理解されたい。上述された方法および装置の構成、動作および詳細において、特許請求の範囲から逸脱することなく、様々な修正、変更および変形が行われ得る。
【００９２】
[00101]上記は本開示の態様を対象とするが、本開示の他の態様およびさらなる態様は、その基本的範囲から逸脱することなく考案され得るし、その範囲は以下の特許請求の範囲によって決定される。
【図１】
2015512204.tif 000005
【図２】
2015512204.tif 000006
【図３】
2015512204.tif 000007
【図４】
2015512204.tif 000008
【図９】
2015512204.tif 000009
【図１０】
2015512204.tif 000010
【図１１】
2015512204.tif 000011
【図１２】
2015512204.tif 000012
【図５】
2015512204.tif 000013
【図６】
2015512204.tif 000014
【図７】
2015512204.tif 000015
【図８】
2015512204.tif 000016
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
通信媒体を介して複数のノードに第１のメッセージを送信するように構成された送信機、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するように構成されたコントローラと、
を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
ワイヤレス通信のための装置。
【請求項２】
前記複数のノートが、前記第１のメッセージが送信されると予期されていない時間期間のあいだに、選択的に少なくとも一部は電力が切断されるように構成された、請求項１に記載の装置。
【請求項３】
前記データが、前記複数のノードの前記サブセットの１つもしくは複数のノード向けのマルチキャストデータ、および前記複数のノードの前記サブセットの個別のノードへの配信用のユニキャストのうちの１つである、請求項１に記載の装置。
【請求項４】
前記複数のノードの前記サブセットに含まれないノードが、前記第１の時間期間のあいだに少なくとも一部は電力が切断されるように構成された、請求項１に記載の装置。
【請求項５】
前記複数のノードの前記サブセットに含まれない前記ノードが、前記第１の時間期間のあいだにネットワーク割り当てベクトル（ＮＡＶ）を設定するように構成された、請求項１に記載の装置。
【請求項６】
前記プロセスが、前記第１の時間期間内で前記複数のノードの前記サブセットの各ノードのための第２の時間期間を確保することをさらに備え、ここにおいて、前記第１の持続時間が前記第２の時間期間に対応する、請求項１に記載の装置。
【請求項７】
対応する第２の時間期間内に送信された前記第１の制御メッセージが、前記サブセットの別のノードにデータが送信されるようにスケジュールされたことを示す場合、各ノードが、前記対応する第２の時間期間内の第３の時間期間のあいだ選択的に少なくとも一部は電力が切断されるように構成された、請求項６に記載の装置。
【請求項８】
前記プロセスが、前記複数のノードの前記サブセットの少なくとも１つのノードから第３の制御メッセージを受信するための前記第１の時間期間内に第２の時間期間を確保することをさらに備え、前記第３の制御メッセージが、前記少なくとも１つのノードに送られるべきデータを要求する、請求項１に記載の装置。
【請求項９】
前記第３の制御メッセージが電力節約ポーリング（ＰＳ−ＰＯＬＬ）メッセージを備える、請求項８に記載の装置。
【請求項１０】
前記第１の持続時間が分散フレーム間スペース（ＤＩＦＳ）に対応する、請求項１に記載の装置。
【請求項１１】
前記サブセットの前記第２のノードが、前記第２の時間期間のあいだ選択的に少なくとも一部は電力が切断されるように構成された、請求項６に記載の装置。
【請求項１２】
前記サブセットのノードの各々にデータが送信された後、前記サブセットのノードから、データを要求する第３の制御メッセージを受信するように構成された受信機をさらに備える、請求項１に記載の装置。
【請求項１３】
前記第２のノードが、前記第１の制御メッセージを受信した後、第１の時間期間のあいだ選択的に少なくとも一部は電力が切断されるように構成された、請求項１に記載の装置。
【請求項１４】
前記第２のノードが、前記第１の時間期間のあいだネットワーク割振りベクトル（ＮＡＶ）を設定するように構成された、請求項１３に記載の装置。
【請求項１５】
前記第１のメッセージが、トラフィック指示マップ（ＴＩＭ）ページングメッセージを備える、請求項１に記載の装置。
【請求項１６】
前記送信機が、ＩＥＥＥ８０２．１１ａｈプロトコルに従って前記第１のメッセージを送信するように構成された、請求項１に記載の装置。
【請求項１７】
通信媒体を介して複数のノードに第１のメッセージを送信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始することと、
を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
ワイヤレス通信のための方法。
【請求項１８】
通信媒体を介して複数のノードに第１のメッセージを送信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するための手段と、
を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
ワイヤレス通信のための装置。
【請求項１９】
通信媒体を介して複数のノードに第１のメッセージを送信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するためのコードと、
を備える、コンピュータ可読媒体を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
コンピュータプログラム製品。
【請求項２０】
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始される、ことと、
を行うように構成された受信機を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
ワイヤレス通信のための装置。
【請求項２１】
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始されることと、
を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと
を備える、
ワイヤレス通信のための方法。
【請求項２２】
通信媒体を介して、複数のノードに送信された第１のメッセージを受信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記複数のノードの前記サブセットに利用可能なデータを送信するためのプロセスに従って前記データを受信するための手段であって、前記プロセスが、前記第１のメッセージの送信後、前記第１のメッセージを送信したノードによって開始される、と、
を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
ワイヤレス通信のための装置。
【請求項２３】
通信媒体を介して、複数のノードに送信された第１のメッセージを受信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記複数のノードの前記サブセットに利用可能なデータを送信するためのプロセスに従って前記データを受信するためのコードであって、前記プロセスが、前記第１のメッセージの送信後、前記第１のメッセージを送信したノードによって開始される、コードと、
を備える、コンピュータ可読媒体を備え、
ここにおいて、前記プロセスが、
前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に第２の制御メッセージが受信されなかった場合、前記サブセットの第２のノードに前記第１の制御メッセージを送信することと、
を備える、
コンピュータプログラム製品。
【手続補正２】
【補正対象書類名】明細書
【補正対象項目名】００９２
【補正方法】変更
【補正の内容】
【００９２】
[00101]上記は本開示の態様を対象とするが、本開示の他の態様およびさらなる態様は、その基本的範囲から逸脱することなく考案され得るし、その範囲は以下の特許請求の範囲によって決定される。
以下に、本願出願の当初の特許請求の範囲に記載された発明を付記する。
［Ｃ１］
通信媒体を介して複数のノードに第１のメッセージを送信するように構成された送信機、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するように構成されたコントローラと、
を備える、ワイヤレス通信のための装置。
［Ｃ２］
前記複数のノートが、前記第１のメッセージが送信されると予期されていない時間期間のあいだに、選択的に少なくとも一部は電力が切断されるように構成された、Ｃ１に記載の装置。
［Ｃ３］
前記データが、前記複数のノードの前記サブセットの１つもしくは複数のノード向けのマルチキャストデータ、および前記複数のノードの前記サブセットの個別のノードへの配信用のユニキャストのうちの１つである、Ｃ１に記載の装置。
［Ｃ４］
前記第１のメッセージが、前記複数のノードの前記サブセットへの送信のために前記通信媒体が確保された第１の時間期間を示す情報を含むように構成された、Ｃ１に記載の装置。
［Ｃ５］
前記複数のノードの前記サブセットに含まれないノードが、前記第１の時間期間のあいだに少なくとも一部は電力が切断されるように構成された、Ｃ４に記載の装置。
［Ｃ６］
前記複数のノードの前記サブセットに含まれない前記ノードが、前記第１の時間期間のあいだにネットワーク割り当てベクトル（ＮＡＶ）を設定するように構成された、Ｃ５に記載の装置。
［Ｃ７］
前記プロセスが、
前記第１の時間期間内で前記複数のノードの前記サブセットの各ノードのための第２の時間期間を確保することと、
前記複数のノードの前記サブセットの各々に関する各第２の時間期間内に第１の制御メッセージを送信することと
を備える、Ｃ４に記載の装置。
［Ｃ８］
対応する第２の時間期間のあいだに前記複数のノードの前記サブセットのノードから第２の制御メッセージが受信された場合、前記プロセスが、そのノードのための前記対応する第２の時間期間内に前記ノードにノードデータを送信することをさらに備える、Ｃ７に記載の装置。
［Ｃ９］
対応する第２の時間期間内に送信された前記第１の制御メッセージが、前記サブセットの別のノードにデータが送信されるようにスケジュールされたことを示す場合、各ノードが、前記対応する第２の時間期間内の第３の時間期間のあいだに選択的に少なくとも一部は電力が切断されるように構成された、Ｃ７に記載の装置。
［Ｃ１０］
前記プロセスが、前記複数のノードの前記サブセットの少なくとも１つのノードから第３の制御メッセージを受信するための前記第１の時間期間の後、第２の時間期間を確保することをさらに備え、前記第３の制御メッセージが、前記少なくとも１つのノードに送られるべきデータを要求する、Ｃ４に記載の装置。
［Ｃ１１］
前記第３の制御メッセージが電力節約ポーリング（ＰＳ−ＰＯＬＬ）メッセージを備える、Ｃ１０に記載の装置。
［Ｃ１２］
前記プロセスが、
前記サブセットの第１のノードに第１の制御メッセージを送ることと、
前記第１の制御メッセージが前記第１のノードに送られた後、第１の持続時間内に前記第１のノードから第２の制御メッセージが受信された場合、前記第１のノードに前記第１のノードのためのデータを送信することと、
前記第１の持続時間内に第２の制御メッセージが受信されなかった場合、前記サブセットの第２のノードに前記第１の制御メッセージを送信することと
を備える、Ｃ４に記載の装置。
［Ｃ１３］
前記第１の持続時間が分散フレーム間スペース（ＤＩＦＳ）に対応する、Ｃ１２に記載の装置。
［Ｃ１４］
前記プロセスが、前記第１の時間期間のあいだに前記サブセットのノードの各々にデータを送信することを備える、Ｃ４に記載の装置。
［Ｃ１５］
前記プロセスが、前記サブセットのノードの各々にデータを送信する前に、前記サブセットのノードに第１の制御メッセージを送信することをさらに備え、前記第１の制御メッセージが、第２の時間期間のあいだにそこにデータが送信される前記サブセットのノードを示す、Ｃ１４に記載の装置。
［Ｃ１６］
前記サブセットの第２のノードが、前記第２の時間期間のあいだに選択的に少なくとも一部は電力が切断されるように構成された、Ｃ１５に記載の装置。
［Ｃ１７］
前記プロセスが、データが送信されることを示す制御メッセージを前記ノードのいずれにも送らずにデータを送信することをさらに備える、Ｃ１４に記載の装置。
［Ｃ１８］
前記サブセットのノードの各々にデータが送信された後、前記サブセットのノードから、データを要求する第３の制御メッセージを受信するように構成された受信機をさらに備える、Ｃ１４に記載の装置。
［Ｃ１９］
前記プロセスが、前記送信機を介して前記サブセットのノードに第１の制御メッセージを送信することを備え、前記第１の制御メッセージが、前記複数のノードの前記サブセットの第１のノードを示す、Ｃ１に記載の装置。
［Ｃ２０］
前記プロセスが、前記第１のノードから第２の制御メッセージが受信された場合、前記送信機を介して前記第１のノードに第１のノードデータを送信することをさらに備える、Ｃ１９に記載の装置。
［Ｃ２１］
前記プロセスが、前記第１のノードから第２の制御メッセージが受信されなかった場合、前記第１のノードに第１のノードデータを送信しないことをさらに備える、Ｃ１９に記載の装置。
［Ｃ２２］
第２のノードが、前記第１の制御メッセージを受信した後、第１の時間期間のあいだに選択的に少なくとも一部は電力が切断されるように構成された、Ｃ１９に記載の装置。
［Ｃ２３］
前記第２のノードが、前記第１の時間期間のあいだにネットワーク割り当てベクトル（ＮＡＶ）を設定するように構成された、Ｃ２２に記載の装置。
［Ｃ２４］
前記第１のメッセージが、トラフィック指示マップ（ＴＩＭ）ページングメッセージを備える、Ｃ１に記載の装置。
［Ｃ２５］
前記送信機が、ＩＥＥＥ８０２．１１ａｈプロトコルに従って前記第１のメッセージを送信するように構成された、Ｃ１に記載の装置。
［Ｃ２６］
通信媒体を介して複数のノードに第１のメッセージを送信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始することと、
を備える、ワイヤレス通信のための方法。
［Ｃ２７］
通信媒体を介して複数のノードに第１のメッセージを送信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するための手段と、
を備える、ワイヤレス通信のための装置。
［Ｃ２８］
通信媒体を介して複数のノードに第１のメッセージを送信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記第１のメッセージが送信された後、前記複数のノードの前記サブセットに利用可能な前記データを送信するためのプロセスを開始するためのコードと、
を備える、コンピュータ可読媒体
を備える、コンピュータプログラム製品。
［Ｃ２９］
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始される、ことと、
を行うように構成された受信機
を備える、ワイヤレス通信のための装置。
［Ｃ３０］
通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信し、前記プロセスが、前記第１のメッセージの送信後、前記第１のメッセージを送信したノードによって開始される、ことと、
を備える、ワイヤレス通信のための方法。
［Ｃ３１］
通信媒体を介して、複数のノードに送信された第１のメッセージを受信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信するための手段であって、前記プロセスが、前記第１のメッセージの送信後、前記第１のメッセージを送信したノードによって開始される、と、
を備える、ワイヤレス通信のための装置。
［Ｃ３２］
通信媒体を介して、複数のノードに送信された第１のメッセージを受信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示す、と、
前記複数のノードの前記サブセットに利用可能なデータを送信するためのプロセスに従って前記データを受信するためのコードであって、前記プロセスが、前記第１のメッセージの送信後、前記第１のメッセージを送信したノードによって開始される、と、
を備える、コンピュータ可読媒体
を備える、コンピュータプログラム製品。
【国際調査報告】
2015512204.tif 000017
2015512204.tif 000018
2015512204.tif 000019